(57)【要約】【課題】  ハウジングの嵌合面から突出する１対の位置決め用案内部を設けた電気コネクタにおいて、信号用コンタクトと電源用コンタクトとの短絡を確実に防止することができる電気コネクタ及び電気コネクタ組立体を提供する。【解決手段】  互いに嵌合する電気コネクタ２及び相手コネクタ３により電気コネクタ組立体１を構成する。電気コネクタ２は、嵌合面から突出する１対の位置決め用案内部１３を有するハウジング１０と、ハウジング１０に設けられた信号用コンタクト２１及び電源用コンタクト２２とを具備している。ハウジング１０には、信号用コンタクト２１と電源用コンタクト２２との間を仕切る隔壁１５が設けられている。【選択図】      図１
2006244902.tif 000002
【特許請求の範囲】
【請求項１】
嵌合面から突出する位置決め用案内部を有するハウジングと、該ハウジングに設けられた信号用コンタクト及び電源用コンタクトとを具備する電気コネクタにおいて、
前記ハウジングに、前記信号用コンタクトと前記電源用コンタクトとの間を仕切る隔壁を設けたことを特徴とする電気コネクタ。
【請求項２】
互いに嵌合する電気コネクタ及び相手コネクタを具備し、前記電気コネクタが、嵌合面から突出する位置決め用案内部を有するハウジングと、該ハウジングに設けられた信号用コンタクト及び電源用コンタクトとを具備し、前記相手コネクタが、前記位置決め用案内部が嵌入される位置決め用凹部を有する相手ハウジングと、該相手ハウジングに設けられ、前記信号用コンタクト及び電源用コンタクトのそれぞれに接触する相手信号用コンタクト及び相手電源用コンタトとを具備する電気コネクタ組立体において、
前記ハウジングに、前記信号用コンタクトと前記電源用コンタクトとの間を仕切る隔壁を設け、
前記相手ハウジングに、前記隔壁が嵌入される隔壁用凹部を設けたことを特徴とする電気コネクタ組立体。
【請求項３】
前記相手コネクタは、前記相手ハウジングに対して上方位置と下方位置との間を移動可能に取り付けられ、弾性部材により常時上方向に付勢されて前記上方位置において前記相手信号用コンタクトの接触部及び前記相手電源用コンタクトの接触部を覆うシャッタ部材と、前記相手ハウジングに取り付けられた金属製のシェル部材とを備え、該シェル部材に、前記シャッタ部材の上方への移動を規制する規制片を設けたことを特徴とする請求項２記載の電気コネクタ組立体。
【発明の詳細な説明】
【技術分野】
【０００１】
本発明は、パーソナルコンピュータ等の電子機器と、拡張ユニットとを相互に接続するために好適な電気コネクタ及び電気コネクタ組立体に関する。
【背景技術】
【０００２】
パーソナルコンピュータ等の電子機器に設けられた電気コネクタと、拡張ユニットに設けた電気コネクタとを嵌合することにより、電子機器と拡張ユニットとが相互接続されるようになっている。拡張ユニット側に設けられた電気コネクタと、電子機器側に設けられた電気コネクタとを併せて一般にドッキングコネクタと呼ばれている。
このドッキングコネクタにあっては、嵌合接続する１対のコネクタの対応する全てのコンタクト同士を正しく位置あわせして電気的に接続することが極めて重要なこととされている。
【０００３】
このような、全てのコンタクト同士を正しく位置あわせ可能としたドッキングコネクタとして、例えば、図６に示すもの（特許文献１参照）が知られている。
このドッキングコネクタ１０１は、相互に嵌合接続される第１コネクタ１１０及び第２コネクタ１２０からなっている。
ここで、第１コネクタ１１０は、図示しないパーソナルコンピュータ側に設けられた回路基板上に実装され、絶縁性の第１ハウジング１１１と、この第１ハウジング１１１に設けられた複数のコンタクト（図示せず）とを備えている。第１ハウジング１１１の両端には、嵌合面から突出する１対の位置決め用ガイドピン１１２（一端側のガイドピンは太径で他端側のガイドピンは細径で構成されている）が設けられている。
【０００４】
一方、第２コネクタ１２０は、図示しない拡張ユニット側に設けられた回路基板上に実装され、絶縁性の第２ハウジング１２１と、この第２ハウジング１２１に設けられた複数のコンタクト（図示せず）とを備えている。第２ハウジング１２１の両端には、第１コネクタ１１０の位置決め用ガイドピン１１２が嵌入される１対のガイドブッシュ１２２が設けられている。
【０００５】
そして、第１コネクタ１１０と第２コネクタ１２０との嵌合の際に、位置決め用ガイドピン１１２がガイドブッシュ１２３に嵌入されて位置決めされると、第１コネクタ１１０と第２コネクタ１２０との位置ずれは吸収され、全てのコンタクト同士を正しく位置あわせ可能とすることができるようになっている。
ところで、図６に示したようなドッキングコネクタ１０１にあっては、パーソナルコンピュータ側に設けられた第１コネクタ１１０及び拡張ユニット側に設けられた第２コネクタ１２０の双方において、比較的大電流が通電する電源用コンタクトと、比較的小電流が通電する信号用コンタクトとが設けられるのが一般的である。
【０００６】
図７に、ドッキングコネクタの一方側を構成する拡張ユニット側に設けられた、電源用コンタクト及び信号用コンタクトを有する電気コネクタの一例を示す。
この電気コネクタ２０１は、長手方向（図７における左右方向）に延びる絶縁性のハウジング２１０を有している。そして、ハウジング２１０は、長手方向に延びるハウジング基部２１１と、このハウジング基部２１１から上方に突出し、長手方向に延びる嵌合部２１２とを備えている。嵌合部２１２は、パーソナルコンピュータ側に設けられた相手コネクタ（図示せず）に嵌合するものであり、仕切り壁２１２ａを挟んで前後側に１対の嵌合凹部２１２ｂ（前側の嵌合凹部のみ図示）を有している。また、ハウジング基部２１１の長手方向両端には、嵌合部２１２の嵌合面（嵌合部の上端面）に対して上方に突出する１対の位置決め用案内部２１３が設けられている。そして、各嵌合凹部２１２ｂの前後面には、複数の信号用コンタクト２２１がそれぞれの前後面に沿って設けられている。また、各嵌合凹部２１２ｂの前後面の、長手方向最右端の信号用コンタクト２２１から所定間隔離れた位置には、電源用コンタクト２２２が設けられている。信号用コンタクト２２１は回路基板（図示せず）の信号ラインに電気的に接続され、その一方、電源用コンタクト２２２は回路基板の電源ラインに電気的に接続されるようになっている。
【特許文献１】特開平１１−２８８７６０号公報
【発明の開示】
【発明が解決しようとする課題】
【０００７】
しかしながら、図７に示した電気コネクタ２０１にあっては、以下の問題点があった。
即ち、図７に示すように、例えばクリップなどの導電片Ｍが嵌合部２１２の嵌合凹部２１２ｂ内に入り込んでしまうことがあり、この場合、信号用コンタクト２２１と電源用コンタクト２２２とが導電片Ｍにより短絡してしまうことがあった。信号用コンタクト２２１と電源用コンタクト２２２とが短絡すると、信号用コンタクト２２１及び回路基板上の信号ラインに大電流が流れ、これら信号用コンタクトや信号ラインが損傷してしまうことがあった。
従って、本発明は上述の問題点に鑑みてなされたものであり、その目的は、ハウジングの嵌合面から突出する１対の位置決め用案内部を設けた電気コネクタにおいて、信号用コンタクトと電源用コンタクトとの短絡を確実に防止することができる電気コネクタ及び電気コネクタ組立体を提供することにある。
【課題を解決するための手段】
【０００８】
上記問題を解決するため、本発明のうち請求項１に係る電気コネクタは、嵌合面から突出する１対の位置決め用案内部を有するハウジングと、該ハウジングに設けられた信号用コンタクト及び電源用コンタクトとを具備する電気コネクタにおいて、前記ハウジングに、前記信号用コンタクトと前記電源用コンタクトとの間を仕切る隔壁を設けたことを特徴としている。
【０００９】
また、本発明のうち請求項２に係る電気コネクタ組立体は、互いに嵌合する電気コネクタ及び相手コネクタを具備し、前記電気コネクタが、嵌合面から突出する１対の位置決め用案内部を有するハウジングと、該ハウジングに設けられた信号用コンタクト及び電源用コンタクトとを具備し、前記相手コネクタが、前記位置決め用案内部が嵌入される１対の位置決め用凹部を有する相手ハウジングと、該相手ハウジングに設けられ、前記信号用コンタクト及び電源用コンタクトのそれぞれに接触する相手信号用コンタクト及び相手電源用コンタトとを具備する電気コネクタ組立体において、前記ハウジングに、前記信号用コンタクトと前記電源用コンタクトとの間を仕切る隔壁を設け、前記相手ハウジングに、前記隔壁が嵌入される隔壁用凹部を設けたことを特徴としている。
【００１０】
更に、本発明のうち請求項３に係る電気コネクタ組立体は、請求項２記載の発明において、前記相手コネクタは、前記相手ハウジングに対して上方位置と下方位置との間を移動可能に取り付けられ、弾性部材により常時上方向に付勢されて前記上方位置において前記相手信号用コンタクトの接触部及び前記相手電源用コンタクトの接触部を覆うシャッタ部材と、前記相手ハウジングに取り付けられた金属製のシェル部材とを備え、該シェル部材に、前記シャッタ部材の上方への移動を規制する規制片を設けたことを特徴としている。
なお、前記位置決め用案内部と位置決め用凹部についてはそれぞれが１対であると説明したが、必ずしも１対であることに限定されない。
【発明の効果】
【００１１】
本発明のうち請求項１に係る電気コネクタによれば、嵌合面から突出する１対の位置決め用案内部を有するハウジングと、ハウジングに設けられた信号用コンタクト及び電源用コンタクトとを具備する電気コネクタにおいて、ハウジングに、信号用コンタクトと電源用コンタクトとの間を仕切る隔壁を設けたので、ハウジングの嵌合面から突出する１対の位置決め用案内部を設けた電気コネクタにおいて、例えば、導電片などの異物がハウジング内に混入しても隔壁により信号用コンタクトと電源用コンタクトとの短絡を防止することができる。
【００１２】
また、本発明のうち請求項２に係る電気コネクタ組立体によれば、互いに嵌合する電気コネクタ及び相手コネクタを具備し、電気コネクタが、嵌合面から突出する１対の位置決め用案内部を有するハウジングと、ハウジングに設けられた信号用コンタクト及び電源用コンタクトとを具備し、相手コネクタが、前記位置決め用案内部が嵌入される１対の位置決め用凹部を有する相手ハウジングと、相手ハウジングに設けられ、信号用コンタクト及び電源用コンタクトのそれぞれに接触する相手信号用コンタクト及び相手電源用コンタトとを具備する電気コネクタ組立体において、ハウジングに、信号用コンタクトと電源用コンタクトとの間を仕切る隔壁を設け、相手ハウジングに、隔壁が嵌入される隔壁用凹部を設けたので、ハウジングの嵌合面から突出する１対の位置決め用案内部を設けた電気コネクタと相手ハウジングに位置決め用案内部が嵌入される１対の位置決め用凹部を設けた相手コネクタとを具備した電気コネクタ組立体において、信号用コンタクトと電源用コンタクトとの短絡を確実に防止することができる。また、電気コネクタが相手コネクタに表裏逆に嵌合されると、電気コネクタの隔壁が相手コネクタの隔壁用凹部に嵌入されず、電気コネクタの相手コネクタへの誤嵌合を防止することができる。
【００１３】
更に、本発明のうち請求項３に係る電気コネクタ組立体によれば、請求項２記載の発明において、前記相手コネクタは、前記相手ハウジングに対して上方位置と下方位置との間を移動可能に取り付けられ、弾性部材により常時上方向に付勢されて前記上方位置において前記相手信号用コンタクトの接触部及び前記相手電源用コンタクトの接触部を覆うシャッタ部材と、前記相手ハウジングに取り付けられた金属製のシェル部材とを備え、該シェル部材に、前記シャッタ部材の上方への移動を規制する規制片を設けたので、シャッタ部材が上方位置、即ち電気コネクタが相手コネクタに嵌合する前には、シャッタ部材により相手信号用コンタクトの接触部及び電源用コンタクトの接触部が保護されて、これら接触部に塵や埃等の異物が付着することを防止できる。そして、簡単な構造でシャッタ部材の上方への移動を規制することができる。
【発明を実施するための最良の形態】
【００１４】
次に本発明の実施形態を図面を参照して説明する。図１は本発明に係る電気コネクタ組立体において電気コネクタが相手コネクタに嵌合する前の断面図である。但し、図１においてはシャッタ部材は図示されていない。図２は図１の電気コネクタを示し、（Ａ）は平面図、（Ｂ）は正面図、（Ｃ）は右側面図である。図３は図２（Ａ）における３−３線に沿う断面図である。図４は電気コネクタの嵌合凹部内に導電片が入り込んだ一例を示す図２（Ａ）における３−３線に沿う断面図である。図５は図１の相手コネクタを示し、（Ａ）は平面図、（Ｂ）は正面図、（Ｃ）は右側面図である。
【００１５】
図１において、電気コネクタ組立体１は、互いに嵌合する電気コネクタ２及び相手コネクタ３を具備している。電気コネクタ２は、拡張ユニット側に設けられた回路基板（図示せず）上に実装され、その一方、相手コネクタ３は、パーソナルコンピュータ側に設けられた回路基板（図示せず）上に実装され、電気コネクタ２及び相手コネクタ３によりいわゆるドッキングコネクタを構成するものである。
ここで、電気コネクタ２は、図１乃至図３に示すように、絶縁性のハウジング１０と、ハウジング１０に取り付けられた複数の信号用コンタクト２１及び電源用コンタクト２２と、タインプレート３０とを具備している。
【００１６】
ハウジング１０は、絶縁性の樹脂を成形することによって形成される略矩形形状を有し、長手方向（図１における左右方向）に延びるハウジング基部１１と、このハウジング基部１１から上方に突出し、長手方向に延びる嵌合部１２とを備えている。嵌合部１２は、相手コネクタ３に嵌合するものであり、仕切り壁１２ａを挟んで前後側に１対の嵌合凹部１２ｂを有している。また、ハウジング基部１１の長手方向両端には、嵌合部１２の嵌合面（嵌合部１２の上端面）に対して上方に突出する１対の位置決め用案内部１３が設けられている。各位置決め用案内部１３には、相手コネクタ３のシェル部材８０（図５）に接触して接地を図るとともに回路基板に固定するための金属プレート１４が設けられている。また、ハウジング１０の前後面には、１対の金属製のシェル４０が取り付けられている。各シェル４０は、拡張ユニット側に設けられた回路基板上に接地接続される。
【００１７】
また、信号用コンタクト２１は、ハウジング１０の各嵌合凹部１２ｂの前後面に沿って所定ピッチで４列状に取り付けられている。各信号用コンタクト２１は、相手コネクタ３に設けられた相手信号用コンタクト６１の接触部６１ａに接触する接触部２１ａと、拡張ユニット側に設けられた回路基板の信号ラインに接続される基板接続部２１ｂとを備え、金属板を打ち抜き加工及び曲げ加工することによって形成されている。各信号用コンタクト２１の接触部２１ａは、各嵌合凹部１２ｂの前後面に沿うように上方に延び、基板接続部２１ｂは、ハウジング基部１１から下方に突出するように延びている。
【００１８】
また、電源用コンタクト２２は、ハウジング１０の各嵌合凹部１２ｂの前後面の、長手方向最右端の信号用コンタクト２１から所定間隔離れた位置に、４つ取り付けられている。各電源用コンタクト２２は、相手コネクタ３に設けられた相手電源用コンタクト６２の接触部６２ａに接触する接触部２２ａと、拡張ユニット側に設けられた回路基板の電源ラインに接続される基板接続部２２ｂとを備え、金属板を打ち抜き及び曲げ加工することによって形成されている。各電源用コンタクト２２の接触部２２ａは、各嵌合凹部１２ｂの前後面に沿うように上方に延び、基板接続部２２ｂは、ハウジング基部１１から下方に突出するように延びている。
【００１９】
更に、タインプレート３０は、信号用コンタクト２１の基板接続部２１ｂ及び電源用コンタクト２２の基板接続部２２ｂを整列させるためのものであって、ハウジング基部１１の下方において仮係止位置と本係止位置との間を上下動可能に設けられている。
そして、ハウジング１０の嵌合部１２の嵌合凹部１２ｂのそれぞれには、長手方向最右端の信号用コンタクト２１と電源用コンタクト２２との間に配置されて信号用コンタクト２１と電源用コンタクト２２との間を仕切る１対の隔壁１５が設けられている。隔壁１５は、嵌合凹部１２ｂの底面から嵌合部１２の嵌合面（嵌合部の上端面）に至るまで上方に向けて漸次細くなるように延びている。このため、例えば、図４に示すように、クリップなどの導電片Ｍが信号用コンタクト２１側の嵌合凹部１２ｂ内に入り込んでも、隔壁１５により、導電片Ｍが電源用コンタクト２２にのみ接触し、信号用コンタクト２１と電源用コンタクト２２とが短絡してしまうことを回避できる。また、逆に導電片Ｍが電源用コンタクト２２側の嵌合凹部１２ｂ内に入り込んでも、隔壁１５により、導電片Ｍが信号用コンタクト２１にのみ接触し、信号用コンタクト２１と電源用コンタクト２２とが短絡してしまうことを回避できる。このため、信号用コンタクト２１及び回路基板上の信号ラインに大電流が流れ、これら信号用コンタクトや信号ラインが損傷してしまうことはない。
【００２０】
一方、相手コネクタ３は、図１及び図５に示すように、絶縁性の相手ハウジング５０と、相手ハウジング５０に取り付けられた複数の相手信号用コンタクト６１及び相手電源用コンタクト６２と、タインプレート９０とを具備している。
相手ハウジング５０は、絶縁性の樹脂を成形することによって形成される略矩形形状を有し、長手方向（図１における左右方向）に延びる嵌合凹部５１と、この嵌合凹部５１の底面から突出し、長手方向に延びる１対の嵌合凸部５２とを備えている。嵌合凹部５１内には、電気コネクタ２の嵌合部１２が入り込み、その際に、嵌合凸部５２が電気コネクタ２の１対の嵌合凹部１２ｂ内に入り込むようになっている。また、嵌合凹部５１の長手方向両端には、電気コネクタ２の１対の位置決め用案内部１３が嵌入される１対の位置決め用凹部５３が設けられている。また、相手ハウジング５０の前後面には、１対の金属製のシェル部材８０が取り付けられている。各シェル部材８０には、電気コネクタ２が嵌合した際に、電気コネクタ２の金属プレート１４が接触する舌片８２が位置決め用凹部５３内に延びるように設けられている。各シェル部材８０は、パーソナルコンピュータ側に設けられた回路基板に接地接続されるようになっている。
【００２１】
また、相手信号用コンタクト６１は、相手ハウジング５０の各嵌合凸部５２の前後面に沿って所定ピッチで４列状に取り付けられている。各相手信号用コンタクト６１は、電気コネクタ２のコンタクト２１の接触部２１ａに接触する接触部６１ａと、パーソナルコンピュータ側に設けられた回路基板の信号ラインに接続される基板接続部６１ｂとを備え、金属板を打ち抜き加工及び曲げ加工することによって形成されている。各相手信号用コンタクト６１の接触部６１ａは、各嵌合凸部５２の前後面に沿うように上方に延び、基板接続部６１ｂは、相手ハウジング５０から下方に突出するように延びている。
【００２２】
また、相手電源用コンタクト６２は、相手ハウジング５０の各嵌合凸部５２の前後面の、長手方向最右端の相手信号用コンタクト６１から所定間隔離れた位置に、４つ取り付けられている。各相手電源用コンタクト６２は、電気コネクタ２の電源用コンタクト２２の接触部２２ａに接触する接触部６２ａと、パーソナルコンピュータ側に設けられた回路基板の電源ラインに接続される基板接続部６２ｂとを備え、金属板を打ち抜き及び曲げ加工することによって形成されている。各相手電源用コンタクト６２の接触部６２ａは、各嵌合凸部５２の前後面に沿うように上方に延び、基板接続部６２ｂは、相手ハウジング５０から下方に突出するように延びている。
【００２３】
更に、タインプレート９０は、相手信号用コンタクト６１の基板接続部６１ｂ及び相手電源用コンタクト６２の基板接続部６２ｂを整列させるためのものであって、相手ハウジング５０の下方に設けられている。
そして、相手ハウジング５０の嵌合凸部５２のそれぞれには、長手方向最右端の相手信号用コンタクト６１と相手電源用コンタクト６２との間に配置されて電気コネクタ２の隔壁１５が嵌入される隔壁用凹部５４が形成されている。電気コネクタ２が相手コネクタ３に嵌合すると、電気コネクタ２の隔壁１５が隔壁用凹部５４に嵌入される。従って、電気コネクタ２に隔壁１５を設けても何ら支障はない。また、電気コネクタ２が相手コネクタ３に表裏逆に嵌合されると、電気コネクタ２の隔壁１５が相手コネクタ３の隔壁用凹部５４に嵌入されず、電気コネクタ２の相手コネクタ３への誤嵌合を防止することができる。
【００２４】
また、相手コネクタ３は、相手ハウジング５０に対して上方位置と下方位置との間を移動可能に取り付けられたシャッタ部材７０を有している。このシャッタ部材７０は、絶縁性の樹脂を成形することによって形成された略矩形形状を有し、嵌合凸部５２を除く嵌合凹部５１（図１）の上方を覆うように構成されている。そして、シャッタ部材７０は、嵌合凹部５１の四隅に配置された複数の弾性部材（図示せず）により常時上方向に付勢されて上方位置において相手信号用コンタクト６１の接触部６１ａ及び相手電源用コンタクト６２の接触部６２ａを覆い、これら接触部６１ａ，６２ａを保護するようになっている。このため、シャッタ部材７０が上方位置、即ち電気コネクタ２が相手コネクタ３に嵌合する前には、シャッタ部材７０により接触部６１ａ，６２ａが保護されて、これら接触部６１ａ，６２ａに塵や埃等の異物が付着することはない。そして、シャッタ部材７０の前後両縁には、外方へ突出する複数のストッパ用突起７１が設けられ、相手ハウジング５０に取り付けられた各金属製のシェル部材８０には、ストッパ用突起７１に当接してシャッタ部材７０の上方への移動を規制する複数の規制片８１が設けられている。このため、簡単な構造でシャッタ部材７０の上方への移動を規制することができる。
【００２５】
そして、図１の矢印方向に電気コネクタ２を相手コネクタ３に嵌合すると、各位置決め用案内部１３が各位置決め用凹部５３内に嵌入されつつ案内され、電気コネクタ２の信号用コンタクト２１及び電源用コンタクト２２がそれぞれ相手コネクタ３の相手信号用コンタクト６１及び相手電源用コンタクト６２に対して位置決めされ、電気コネクタ２の嵌合部１２がシャッタ部材７０を押し下げつつ嵌合凹部５１に嵌合する。これにより、電気コネクタ２の信号用コンタクト２１の接触部２１ａが相手信号用コンタクト６１の接触部６１ａに接触して拡張ユニット側の回路基板上に設けられた信号ラインとパーソナルコンピュータ側の回路基板上に設けられた信号ラインとが導通し、電源用コンタクト２２の接触部２２ａが相手電源用コンタクト６２の接触部６２ａに接触して拡張ユニット側の回路基板上に設けられた電源ラインとパーソナルコンピュータ側の回路基板上に設けられた電源ラインとが導通することになる。また、電気コネクタ２を相手コネクタ３に嵌合すると、電気コネクタ２のシェル４０と相手コネクタ３のシェル部材８０とが接触し、接地されることになる。また、電気コネクタ２が相手コネクタ３に嵌合すると、電気コネクタ２の隔壁１５が隔壁用凹部５４に嵌入される。
【００２６】
以上、本発明の実施形態について説明してきたが、本発明はこれに限定されずに種々の変更、改良を行うことができる。
例えば、隔壁１５は、信号用コンタクト２１と電源用コンタクト２２との間を仕切る位置に設置すればよく、信号用コンタクト２１と電源用コンタクト２２の配列に応じて適宜接地場所を変更することができる。
また、隔壁１５は、信号用コンタクト２１と電源用コンタクト２２との間を仕切るものであれば、嵌合凹部１２ｂの底面から嵌合部１２の嵌合面（上面）に至るまで上方に向けて漸次細くなるように延びている必要はない。
また、電気コネクタ２をパーソナルコンピュータ側に設けられた回路基板上に実装し、相手コネクタ３を拡張ユニット側に設けられた回路基板上に実装してもよい。
更に、１対の位置決め用案内部１３及び位置決め用凹部５３は、それぞれ、ハウジング基部１１の長手方向両端及び嵌合凹部５１の長手方向両端に設ける必要はない。
【図面の簡単な説明】
【００２７】
【図１】本発明に係る電気コネクタ組立体において電気コネクタが相手コネクタに嵌合する前の断面図である。但し、シャッタ部材は図示されていない。
【図２】図１の電気コネクタを示し、（Ａ）は平面図、（Ｂ）は正面図、（Ｃ）は右側面図である。
【図３】図２（Ａ）における３−３線に沿う断面図である。
【図４】電気コネクタの嵌合凹部内に導電片が入り込んだ一例を示す図２（Ａ）における３−３線に沿う断面図である。
【図５】図１の相手コネクタを示し、（Ａ）は平面図、（Ｂ）は正面図、（Ｃ）は右側面図である。
【図６】従来例のドッキングコネクタの概略説明図である。
【図７】ドッキングコネクタの一方側を構成する拡張ユニット側に設けられた、電源用コンタクト及び信号用コンタクトを有する電気コネクタの一例の断面図である。
【符号の説明】
【００２８】
１  電気コネクタ組立体
２  電気コネクタ
３  相手コネクタ
１０  ハウジング
１３  位置決め用案内部
１５  隔壁
２１  信号用コンタクト
２２  電源用コンタクト
５０  相手ハウジング
５３  位置決め用凹部
５４  隔壁用凹部
６１  相手信号用コンタクト
６１ａ  接触部
６２  相手電源用コンタクト
６２ａ  接触部
７０  シャッタ部材
８０  シェル部材
８１  規制片
【図１】
2006244902.tif 000003
【図２】
2006244902.tif 000004
【図３】
2006244902.tif 000005
【図４】
2006244902.tif 000006
【図５】
2006244902.tif 000007
【図６】
2006244902.tif 000008
【図７】
2006244902.tif 000009